【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
像担持体を各々備える複数の像担持体ユニットと、前記複数の像担持体ユニットを画像形成装置本体に対して着脱するための開閉可能な開閉ユニットと、を有する画像形成装置において、
前記開閉ユニットは前記複数の像担持体ユニット各々の位置を規制することを特徴とする画像形成装置。
【請求項２】
前記開閉ユニットは前記像担持体ユニットに設けられた突出部の位置を規制することを特徴とする請求項１に記載の画像形成装置。
【請求項３】
前記突出部は前記像担持体の回転軸の位置近傍に設けられていることを特徴とする請求項２に記載の画像形成装置。
【請求項４】
前記突出部は前記像担持体の回転軸であることを特徴とする請求項２に記載の画像形成装置。
【請求項５】
前記像担持体ユニットは前記像担持体の回転軸方向に画像形成装置本体に対して着脱可能であることを特徴とする請求項１〜４のいずれか一項に記載の画像形成装置。
【請求項６】
前記像担持体上の画像は移動可能な転写媒体に転写され、前記開閉ユニットは前記複数の像担持体ユニットの各突出部を転写媒体の移動方向と直交する方向に移動可能に支持する単一の支持部材を有し、前記支持部材は所定の方向における前記各突出部の位置を規制するために前記所定の方向と異なる方向に移動可能であることを特徴とする請求項２に記載の画像形成装置。
【請求項７】
前記支持部材に支持された前記各突出部が前記所定の方向に移動するタイミングは異なることを特徴とする請求項６に記載の画像形成装置。
【請求項８】
前記支持部材は前記各突出部を移動可能にそれぞれ支持する穴を有することを特徴とする請求項７に記載の画像形成装置。
【請求項９】
前記各穴は、前記各突出部の位置を規制するための第１の支持部と、前記所定の方向における位置が前記第１の支持部と異なる第２の支持部と、を有することを特徴とする請求項８に記載の画像形成装置。
【請求項１０】
前記支持部材に支持された前記各突出部が前記第２の支持部から前記第１の支持部へ移動するタイミングは異なることを特徴とする請求項９に記載の画像形成装置。
【請求項１１】
前記第１の支持部は前記第２の支持部よりも鉛直方向上側に設けられていることを特徴とする請求項１０に記載の画像形成装置。
【請求項１２】
像を担持する第１の像担持体と、像を担持する第２の像担持体と、を有し、前記第１の像担持体及び前記第２の像担持体上の像が転写媒体に順次重ねて転写される画像形成装置において、
前記第１の像担持体及び前記第２の像担持体の各支持軸を支持する単一の支持部材を有し、前記支持部材は所定の方向における前記各支持軸の位置を規制するために前記所定の方向と異なる方向に移動可能であり、前記支持部材に支持された前記各支持軸が前記所定の方向に移動するタイミングは異なることを特徴とする画像形成装置。
【請求項１３】
前記支持部材は前記各支持軸を移動可能にそれぞれ支持する穴を有することを特徴とする請求項１２に記載の画像形成装置。
【請求項１４】
前記各穴は、前記各支持軸の位置を規制するための第１の支持部と、前記所定の方向における位置が前記第１の支持部と異なる第２の支持部と、を有することを特徴とする請求項１３に記載の画像形成装置。
【請求項１５】
前記支持部材に支持された前記各支持軸が前記第２の支持部から前記第１の支持部へ移動するタイミングは異なることを特徴とする請求項１４に記載の画像形成装置。
【請求項１６】
前記第１の支持部は前記第２の支持部よりも鉛直方向上側に設けられていることを特徴とする請求項１５に記載の画像形成装置。
【請求項１７】
帯電された前記第１の像担持体を露光する第１の露光手段と、帯電された前記第２の像担持体を露光する第２の露光手段と、を有し、前記各露光手段と前記各像担持体との間の距離が所定の距離となるように前記各支持軸の位置を規制することを特徴とする請求項１６に記載の画像形成装置。
【請求項１８】
前記支持部材は前記所定の方向と直交する方向に移動可能であることを特徴とする請求項１２〜１７のいずれか一項に記載の画像形成装置。
【請求項１９】
前記所定の方向と直交する方向における前記各支持軸の位置を規制する規制部材を有することを特徴とする請求項１８に記載の画像形成装置。
【請求項２０】
前記所定の方向は鉛直方向成分を備えることを特徴とする請求項１９に記載の画像形成装置。
【請求項２１】
前記所定の方向は鉛直方向であることを特徴とする請求項２０に記載の画像形成装置。
【請求項２２】
前記所定の方向と直交する方向における前記各支持軸の位置を規制する規制部材を有することを特徴とする請求項１２〜１７のいずれか一項に記載の画像形成装置。
【請求項２３】
前記所定の方向は鉛直方向成分を備えることを特徴とする請求項１２〜１７のいずれか一項に記載の画像形成装置。
【請求項２４】
第１の支持軸の移動が完了した後、第２の支持軸の移動が開始されることを特徴とする請求項１２〜１７のいずれか一項に記載の画像形成装置。
【請求項２５】
前記各支持軸は前記第１の像担持体及び前記第２の像担持体に回転駆動力を伝達する回転軸であることを特徴とする請求項１２〜１７のいずれか一項に記載の画像形成装置。
【請求項２６】
像を担持する第１の像担持体を備える第１の像担持体ユニットと、像を担持する第２の像担持体を備える第２の像担持体ユニットと、を有し、前記第１の像担持体及び前記第２の像担持体上の像は転写媒体に順次重ねて転写される画像形成装置において、
前記第１の像担持体ユニット及び前記第２の像担持体ユニットに設けられる各突出部を支持する単一の支持部材を有し、前記支持部材は所定の方向における前記各突出部の位置を規制するために移動可能であり、前記支持部材に支持された前記各突出部が前記所定の方向に移動するタイミングは異なることを特徴とする画像形成装置。
【請求項２７】
前記支持部材は前記各突出部を移動可能にそれぞれ支持する穴を有することを特徴とする請求項２６に記載の画像形成装置。
【請求項２８】
前記各穴は、前記各突出部の位置を規制するための第１の支持部と、前記所定の方向における位置が前記第１の支持部と異なる第２の支持部と、を有することを特徴とする請求項２７に記載の画像形成装置。
【請求項２９】
前記支持部材に支持された前記各突出部が前記第２の支持部から前記第１の支持部へ移動するタイミングは異なることを特徴とする請求項２８に記載の画像形成装置。
【請求項３０】
前記第１の支持部は前記第２の支持部よりも鉛直方向上側に設けられていることを特徴とする請求項２９に記載の画像形成装置。
【請求項３１】
帯電された前記第１の像担持体を露光する第１の露光手段と、帯電された前記第２の像担持体を露光する第２の露光手段と、を有し、前記各露光手段と前記各像担持体との間の距離が所定の距離となるように前記各突出部の位置を規制することを特徴とする請求項３０に記載の画像形成装置。
【請求項３２】
前記支持部材は前記所定の方向と直交する方向に移動可能であることを特徴とする請求項２６〜３１のいずれか一項に記載の画像形成装置。
【請求項３３】
前記所定の方向と直交する方向における前記各突出部の位置を規制する規制部材を有することを特徴とする請求項３２に記載の画像形成装置。
【請求項３４】
前記所定の方向は鉛直方向成分を備えることを特徴とする請求項３３に記載の画像形成装置。
【請求項３５】
前記所定の方向は鉛直方向であることを特徴とする請求項３４に記載の画像形成装置。
【請求項３６】
前記所定の方向と直交する方向における前記各突出部の位置を規制する規制部材を有することを特徴とする請求項２６〜３１のいずれか一項に記載の画像形成装置。
【請求項３７】
前記所定の方向は鉛直方向成分を備えることを特徴とする請求項２６〜３１のいずれか一項に記載の画像形成装置。
【請求項３８】
第１の突出部の移動が完了した後、第２の突出部の移動が開始されることを特徴とする請求項２６〜３１のいずれか一項に記載の画像形成装置。
【請求項３９】
前記各突出部は前記像担持体ユニットの重心の位置近傍に設けられることを特徴とする請求項２６〜３１のいずれか一項に記載の画像形成装置。
【請求項４０】
前記各突出部は前記像担持体の回転軸の位置近傍に設けられることを特徴とする請求項２６〜３１のいずれか一項に記載の画像形成装置。
【手続補正２】
【補正対象書類名】明細書
【補正対象項目名】００１３
【補正方法】変更
【補正の内容】
【００１３】
【課題を解決するための手段】
上記目的を達成するための本発明の代表的な構成は、像担持体を各々備える複数の像担持体ユニットと、前記複数の像担持体ユニットを画像形成装置本体に対して着脱するための開閉可能な開閉ユニットと、を有する画像形成装置において、前記開閉ユニットは前記複数の像担持体ユニット各々の位置を規制することを特徴とする。
【手続補正３】
【補正対象書類名】明細書
【補正対象項目名】００１４
【補正方法】変更
【補正の内容】
【００１４】
また上記他の目的を達成するための代表的な構成は、像を担持する第１の像担持体と、像を担持する第２の像担持体と、を有し、前記第１の像担持体及び前記第２の像担持体上の像が転写媒体に順次重ねて転写される画像形成装置において、前記第１の像担持体及び前記第２の像担持体の各支持軸を支持する単一の支持部材を有し、前記支持部材は所定の方向における前記各支持軸の位置を規制するために前記所定の方向と異なる方向に移動可能であり、前記支持部材に支持された前記各支持軸が前記所定の方向に移動するタイミングは異なることを特徴とする。
【手続補正４】
【補正対象書類名】明細書
【補正対象項目名】００１５
【補正方法】変更
【補正の内容】
【００１５】
あるいは、像を担持する第１の像担持体を備える第１の像担持体ユニットと、像を担持する第２の像担持体を備える第２の像担持体ユニットと、を有し、前記第１の像担持体及び前記第２の像担持体上の像は転写媒体に順次重ねて転写される画像形成装置において、前記第１の像担持体ユニット及び前記第２の像担持体ユニットに設けられる各突出部を支持する単一の支持部材を有し、前記支持部材は所定の方向における前記各突出部の位置を規制するために移動可能であり、前記支持部材に支持された前記各突出部が前記所定の方向に移動するタイミングは異なることを特徴とする。